(57)【要約】【課題】電池の消費電力を少なくして長時間にわたって首を暖かく加温する。【解決手段】首の加温具は、ユーザーの首部の周囲をカバーする可撓性のあるアウターカバー１と、このアウターカバー１の背部に設けられてユーザーの首筋を加温するヒーター２と、このヒーター２に通電する充電できる電池３１を備える電池ユニット３とを備えている。アウターカバー１は、ヒーター２を設けてなる背部をユーザーの首筋に密着させるアウターカバー１よりも上下幅の狭い一対の連結片５を両側部の内面に連結している。一対の連結片５は、その先端部を互いに脱着できるように脱着連結具６を設けている。首の加温具は、連結片５を脱着連結具６で連結して、アウターカバー１のヒーター２を設けている背部を首筋に密着し、さらに、アウターカバー１で首部の周囲をカバーしている。【選択図】図５
2011032609.tif 000002
【特許請求の範囲】
【請求項１】
ユーザーの首部の周囲をカバーする可撓性のある筒状のアウターカバー(1)、(51)と、このアウターカバー(1)、(51)の背部に設けられてユーザーの首筋を加温するヒーター(2)と、このヒーター(2)に通電する充電できる電池(31)を備える電池ユニット(3)とを備え、
前記アウターカバー(1)、(51)は、前記ヒーター(2)を設けてなる背部をユーザーの首筋に密着させるアウターカバー(1)、(51)よりも上下幅の狭い一対の連結片(5)を両側部の内面に連結しており、さらに、一対の連結片(5)はその先端部を互いに脱着できるように脱着連結具(6)を設けており、
前記連結片(5)が脱着連結具(6)で連結されて、前記アウターカバー(1)、(51)のヒーター(2)を設けてなる背部が首筋に密着され、さらにアウターカバー(1)、(51)で首部の周囲をカバーするようにしてなる首の加温具。
【請求項２】
前記アウターカバー(1)、(51)が、その上端開口部を締める締め具(4)、(54)を備える請求項１に記載される首の加温具。
【請求項３】
前記アウターカバー(1)、(51)が、前記ヒーター(2)を収納できる幅の可撓性バンド(7)、(57)の両側縁を内面に連結しており、この可撓性バンド(7)、(57)はその内側に前記ヒーター(2)の収納部(8)を設けており、さらにこの可撓性バンド(7)、(57)は、両端部がアウターカバー(1)、(51)から分離されて前記連結片(5)を構成してなる請求項１または２に記載される首の加温具。
【請求項４】
前記可撓性バンド(7)、(57)が、前記ヒーター(2)を収納する収納部(8)の両端を開口して、前記ヒーター(2)を脱着できるように収納してなる請求項３に記載される首の加温具。
【請求項５】
前記一対の連結片(5)は、少なくともその一方が、取り替えできるように前記アウターカバー(51)に脱着自在に連結されてなる請求項１ないし４のいずれかに記載される首の加温具。
【請求項６】
前記アウターカバー(1)、(51)が、前部であってその下部に前記電池ユニット(3)を出し入れ自在に収納する収納袋(9)、(59)を連結してなる請求項１ないし５のいずれかに記載される首の加温具。
【請求項７】
前記収納袋(9)が、上縁を前記アウターカバー(1)の内面に連結して、下部をアウターカバー(1)の内面に脱着自在に連結してなる請求項６に記載される首の加温具。
【請求項８】
前記電池ユニット(3)がヒーター(2)への通電を表示するパイロットランプ(34)を備え、前記収納袋(9)が、収納している電池ユニット(3)のパイロットランプ(34)を確認できる透光性を有する透光シート又は網材のいずれかである請求項６又は７に記載される首の加温具。
【請求項９】
前記アウターカバー(1)、(51)の前部の上下幅が背部よりも広く、上下幅の広いアウターカバー(1)、(51)の前部の下端部に前記収納袋(9)、(59)を連結してなる請求項６ないし８のいずれかに記載される首の加温具。
【請求項１０】
前記締め具(4)、(54)がチャック(4A)、紐材(54A)、面ファスナーのいずれかで、脱着連結具(6)が互いに押圧して連結でき、かつ引っ張って分離できる脱着自在な付着テープである請求項１ないし９のいずれかに記載される首の加温具。
【請求項１１】
前記アウターカバー(1)が、ユーザーの首部をカバーする状態で前部となる領域であって、その少なくとも上部を開閉できるように分割しており、前記締め具(4)がこの分割部(1A)を開閉するチャック(4A)で、前記アウターカバー(1)の分割部(1A)をチャック(4A)で連結してアウターカバー(1)の上端開口部を締めるようにしてなる請求項１ないし９のいずれかに記載される首の加温具。
【発明の詳細な説明】
【技術分野】
【０００１】
本発明は、首に巻き付けて首を加温する首の加温具に関し、とくに、電池で発熱されるヒーターで首を暖かく加温できる首の加温具に関する。
【背景技術】
【０００２】
寒い冬に首に巻き付けて、首をヒーターで加温する加温具は開発されている（特許文献１参照）。
この首の加温具は、図１に示すように、ベルト状の首当具９１の中央部に、充電できる電池から電力が供給されるヒーター９２を設けている。この首当具９１は、両端を連結して首に巻き付けて使用される。首に巻き付ける状態で、ヒーター９２の発熱で首を加温することができる。
【先行技術文献】
【特許文献】
【０００３】
【特許文献１】特開２００５−１３０９０８号公報
【発明の開示】
【発明が解決しようとする課題】
【０００４】
図１の首の加温具は、ヒーター９２の熱を効果的に保温して首を暖かく加温するのが難しい。それは、ヒーター９２の熱が、使用するユーザーの首と首当具９１との間にできる隙間から逃げるからである。熱が逃げないように、首当具９１をユーザーの首に隙間なく巻き付けると、首を強く締め付ける状態となって快適に使用できなくなる。電池を電源に使用してヒーターを加温する加温具は、電池の電力消費をいかに少なくして、首を暖かく、長い時間加温できるかが大切である。ヒーターの消費電力が大きくなると、電池で加温できる時間が短くなり、また、電池に大容量のものを使用すると、重くなってユーザーが快適に使用できなくなるからである。
【０００５】
本発明は、図１に示す加温具の欠点を解決することを目的に開発されたものである。本発明の重要な目的は、電池の消費電力を少なくして長時間にわたって首を暖かく加温できる首の加温具を提供することにある。
【課題を解決するための手段及び発明の効果】
【０００６】
本発明の首の加温具は、ユーザーの首部の周囲をカバーする可撓性のあるアウターカバー１、５１と、このアウターカバー１、５１の背部に設けられてユーザーの首筋を加温するヒーター２と、このヒーター２に通電する充電できる電池３１を備える電池ユニット３とを備えている。アウターカバー１、５１は、ヒーター２を設けてなる背部をユーザーの首筋に密着させるアウターカバー１、５１よりも上下幅の狭い一対の連結片５を両側部の内面に連結している。一対の連結片５は、その先端部を互いに脱着できるように脱着連結具６を設けている。首の加温具は、連結片５を脱着連結具６で連結して、アウターカバー１、５１のヒーター２を設けている背部を首筋に密着し、さらに、アウターカバー１、５１で首部の周囲をカバーしている。
【０００７】
以上の首の加温具は、電池の消費電力を少なくして、長時間にわたって首を暖かく快適に加温できる特徴がある。それは、以上の加温具が、アウターカバーの背部にヒーターを設けて、さらにアウターカバーには、ヒーターを設けている背部をユーザーの首筋に密着させる一対の連結片を両側部の内面に連結して、一対の連結片の先端部を脱着連結具で互いに脱着できる構造としており、連結片を脱着連結具で連結してヒーターを設けているアウターカバーの背部を首筋に密着し、さらにこの状態で首部の周囲をアウターカバーでカバーするようにしているからである。
この状態でユーザーの首にセットされる首の加温具は、ヒーターを設けているアウターカバーの背部をユーザーの首筋に密着して暖かく加温しながら快適に使用できる特徴がある。それは、アウターカバーの上下幅よりも狭くしている連結片でアウターカバーの背部をユーザーの首筋に密着させることから、アウターカバーの背部を首筋に密着させながら、幅の狭い連結片がユーザーの前後左右の首振りを阻害しないからである。また、アウターカバーは、その全周をユーザーの首に密着する必要がなく、上下幅を広くしてその上縁をユーザーの首や顎に隙間なく接触することができる。このため、ユーザーとアウターカバーとの隙間から空気が漏れるのを防止する状態として、ヒーターの放熱を有効に阻止できる。すなわち、以上の首の加温具は、ヒーターを首に密着して暖かく加温でき、アウターカバーで放熱を防止して、ヒーターの発熱を有効に加温に利用して暖かく使用できる特徴がある。
【０００８】
本発明の首の加温具は、アウターカバー１、５１が、その上端開口部を締める締め具４、５４を備えることができる。
この加温具は、アウターカバーの上端開口部を締め具で締めることにより、アウターカバーの上端とユーザーとの間の隙間を狭くして、アウターカバーの上端開口部から空気が漏れるのを有効に防止できる。このため、ヒーターの放熱をより有効に阻止して、首部を効率よく加温できる。とくに、この加温具は、締め具でもって、アウターカバーの上端開口部の開度を調整して、首を加温する程度をコントロールできる特徴がある。また、この加温具は、アウターカバーの上端開口部を締め具で締めない状態、すなわち、アウターカバーの上端開口部を広げる状態として、アウターカバーをスムーズに首部に装着できる。
【０００９】
本発明の首の加温具は、アウターカバー１、５１が、ヒーター２を収納できる幅の可撓性バンド７、５７の両側縁を内面に連結して、この可撓性バンド７、５７の内側にヒーター２の収納部８を設けると共に、この可撓性バンド７、５７の両端部をアウターカバー１、５１から分離させて連結片５とすることができる。
以上の加温具は、可撓性バンドをアウターカバーの内面に連結して、ヒーターの収納部と一対の連結片を設けることができるので、簡単な構造で、ヒーターの収納と連結片の両方を設けることができる。また、可撓性バンドの内側にヒーターを内蔵し、さらにその両端を連結片として脱着連結具を連結してユーザーの首に巻き付けることができるので、ヒーターを確実にユーザーの首筋に密着させて暖かくできる特徴も実現する。
【００１０】
本発明の首の加温具は、可撓性バンド７、５７が、ヒーター２を収納する収納部８の両端を開口して、ヒーター２を脱着できるように収納することができる。
以上の構造によると、ヒーターを脱着できるように収納部に収納するので、ヒーターをアウターカバーから外してアウターカバーを洗濯することができる。
【００１１】
本発明の首の加温具は、一対の連結片５の少なくとも一方を、取り替えできるようにアウターカバー５１に脱着自在に連結することができる。
以上の加温具は、少なくとも一方の連結片を取り替えできるので、ユーザーが首回りに襟付き、タートルネック等のシャツを着用すること等を考慮して、また、ユーザーの首サイズが異なることを考慮して、ユーザーの首周りサイズに応じて最適な長さの連結片に交換することができる。この加温具は、連結片をユーザーの首周りに最適な長さとして、連結片を無理なく首に巻き付ける状態で連結して、ヒーターを理想的に首筋に密着できる。
【００１２】
本発明の首の加温具は、アウターカバー１、５１の前部であってその下部に、電池ユニット３を出し入れ自在に収納する収納袋９、５９を連結することができる。
以上の加温具は、電池ユニットの重量でアウターカバーの背部のヒーターを首に押圧してユーザーの首を暖かく加温できる。それは、電池ユニットの重量が、アウターカバーを前方に落下するように引っ張るからである。さらに、電池ユニットの重量がアウターカバーを前方に引っ張るように作用して、その重量がアウターカバーを介してユーザーの首の背面に支えられるので、ユーザーが電池ユニットの重さを軽く感じて、快適に首にセットできる特徴がある。
【００１３】
本発明の首の加温具は、収納袋９の上縁をアウターカバー１の内面に連結して、下部をアウターカバー１の内面に脱着自在に連結することができる。
とくに、以上の加温具は、収納袋の下部をアウターカバーから外し、外した下部をアウターカバーから引き離して、収納袋に収納される電池ユニットを確認できる。このため、電池ユニットをユーザーの首の前方に移動することで、電池ユニットを無理なく簡単に確認できる特徴がある。
【００１４】
本発明の首の加温具は、電池ユニット３がヒーター２への通電を表示するパイロットランプ３４を備えると共に、収納袋９、５９を、収納している電池ユニット３のパイロットランプ３４を確認できる透光性を有する透光シート又は網材のいずれかとすることができる。
以上の加温具は、ユーザーが首にセットする状態でアウターカバーの前部を裏返すことで、収納袋に入れている電池ユニットのパイロットランプを見て、ヒーターの通電を簡単に確認できる。
【００１５】
本発明の首の加温具は、アウターカバー１、５１の前部の上下幅を背部よりも広くして、上下幅の広いアウターカバー１、５１の前部の下端部に収納袋９、５９を連結することができる。
以上の首の加温具は、上下幅を広くしてなるアウターカバーの前部の下端部に収納袋を連結しているので、アウターカバーの前部の下端部を無理なく裏返して、収納部に収納される電池ユニットを楽に操作できる。また、この加温具は、ユーザーの首にセットする状態で、アウターカバーの前部の下縁をユーザーの胸に配置して、下縁からの空気漏れを有効に防止できる。
【００１６】
本発明の首の加温具は、締め具４、５４を、チャック４Ａ、紐材５４Ａ、面ファスナーのいずれかとして、脱着連結具６を、互いに押圧して連結でき、かつ引っ張って分離できる脱着自在な付着テープとすることができる。
以上の加温具は、アウターカバーの上端開口部を、チャック、紐材、面ファスナーのいずれかである締め具で隙間なく簡単に、しかも便利に締めることができ、しかも締める程度を調整して、首を加温する程度をコントロールすることができる。また、連結片を付着テープでもって、簡単かつ容易に、しかもユーザーの首の太さに最適な位置に調整して、ヒーターを首にフィットして快適に暖かく連結できる特徴がある。
【００１７】
本発明の首の加温具は、アウターカバー１が、ユーザーの首部をカバーする状態で前部となる領域であって、その少なくとも上部を開閉できるように分割すると共に、締め具４を、アウターカバー１の分割部１Ａを開閉するチャック４Ａとして、アウターカバー１の分割部１Ａをチャック４Ａで連結して、アウターカバー１の上端開口部を締めることができる。
以上の加温具は、アウターカバーの前部を、締め具であるチャックで簡単に開閉して、アウターカバーの上端開口部を締めることができる。この加温具は、チャックを開く状態では、アウターカバーの上端開口部を広くして、スムーズに首部に装着でき、また、チャックを閉じる状態では、アウターカバーの上端開口部を締めて、首部に隙間なく装着できる。したがって、締め具であるチャックでアウターカバーの前部を開閉することにより、簡単かつ容易に、しかも理想的な状態でアウターカバーを装着できる。さらに、チャックである締め具は、その開閉の程度を調整して、たとえばアウターカバーの分割部の下部を連結して上部を連結しない状態として、アウターカバーの上端開口部の締め具合を調整して、首を加温する程度を簡単にコントロールできる特徴もある。
【図面の簡単な説明】
【００１８】
【図１】従来の首の加温具の正面図である。
【図２】本発明の一実施例にかかる首の加温具の斜視図である。
【図３】図２に示す首の加温具のアウターカバーの上部を開いた状態を示す斜視図である。
【図４】図２に示す首の加温具の断面斜視図である。
【図５】図２に示す首の加温具の使用状態を示す垂直縦断面図である。
【図６】図２に示す首の加温具のアウターカバーの前部の内面を示す正面図である。
【図７】図２に示す首の加温具のアウターカバーの下部を折り返して電池ユニットを確認する状態を示す正面図である。
【図８】図５に示す首の加温具のアウターカバーの下部を折り返して電池ユニットを確認する状態を示す垂直縦断面図である。
【図９】本発明の他の実施例にかかる首の加温具の斜視図である。
【図１０】図９に示す首の加温具の断面斜視図である。
【図１１】図９に示す首の加温具の底面斜視図である。
【図１２】図９に示す首の加温具の使用状態を示す垂直縦断面図である。
【図１３】ヒーターと電池ユニットの斜視図である。
【図１４】図２に示す首の加温具を首にセットする工程を示す図である。
【図１５】図２に示す首の加温具を首にセットする工程を示す図である。
【図１６】図２に示す首の加温具を首にセットする工程を示す図である。
【発明を実施するための形態】
【００１９】
以下、本発明の実施例を図面に基づいて説明する。ただし、以下に示す実施例は、本発明の技術思想を具体化するための首の加温具を例示するものであって、本発明は首の加温具を以下のものに特定しない。
【００２０】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２１】
図２ないし図１２に示す首の加温具は、ユーザーの首部の周囲をカバーするアウターカバー１、５１と、このアウターカバー１、５１の背部に連結されてユーザーの首を加温するヒーター２と、このヒーター２に通電する電池３１を有する電池ユニット３とを備える。
【００２２】
アウターカバー１、５１は、全体の形状を筒状としており、その上端開口部を締め具４、５４で締める構造として、上端開口部の開度を調整できるようにしている。図２ないし図８のアウターカバー１は、ユーザーの首部に装着される状態で前部となる領域を、両側に開閉できるように分割しており、この分割部１Ａを締め具４で開閉できるように連結している。図のアウターカバー１は、上部を両側に開閉できるように分割すると共に、それぞれの分割部１Ａを締め具４で連結している。図に示す締め具４はチャック４Ａで、アウターカバー１の上下幅の半分ないし半分以上を両側に開閉できるように連結している。このアウターカバー１は、締め具４であるチャック４Ａを開いて上部を広い領域で両側に開くことができるので、アウターカバー１の内側に連結している連結片５を簡単に脱着できる。また、このアウターカバー１は、締め具４であるチャック４Ａを閉じて分割部１Ａを連結することにより、アウターカバー１の上端開口部を狭くして、ユーザーの首部に隙間なく装着できる。図２ないし図８のアウターカバー１は、締め具４をチャック４Ａとして、分割部１Ａを開閉できるようにしているが、締め具は、脱着自在な面ファスナーとすることもできる。このアウターカバーは、図示しないが、分割部の対向する端縁部を互いに積層できる構造とすると共に、この積層部の対向面に面ファスナーを設けて、脱着自在に連結できる構造とすることができる。このアウターカバーも、締め具である面ファスナーで分割部を連結して、上端開口部の開度を調整できる。
【００２３】
前部を締め具４で開閉できるアウターカバー１は、両側に開閉できるように連結する長さを上半分ないし半分以上に特定するものではなく、開閉できる長さを、アウターカバー前部の上下幅の、例えば３０％ないし１００％とすることもできる。アウターカバーは、開閉できる長さを１００％として、両側に完全に分離できるように開くこともできる。図３に示すように、締め具４を完全に分離した状態で、アウターカバー１の一部を両側に分離できないアウターカバー１は、締め具４で上部を開く状態で、ユーザーの頭を挿通できる太さとする。締め具を完全に分離して、アウターカバーの前部を上から下まで分離できるものは、その内形を頭を挿通できないが首に巻き付けできる大きさとすることができる。締め具４で上から下まで分離しないアウターカバー１は、たとえばその内周を５５ｃｍ〜６０ｃｍとして、頭を挿通することができる。
【００２４】
さらに、図９ないし図１２に示すアウターカバー５１は、全体を筒状とするが、前部を開閉できるように分割することなく、上端開口縁に沿って紐材５４Ａを挿通しており、この紐材５４Ａを上端開口部の締め具５４としている。アウターカバー５１の上端開口部に挿通してなる紐材５４Ａは、その両端を、アウターカバー５１の上端開口部の背部において外部に引き出しており、この引出部５４ａを引っ張ってアウターカバーの上端開口部を狭く絞り、また、引出部５４ａを緩めてアウターカバー５１の上端開口部を広く開くようにしている。図に示す締め具５４である紐材５４Ａは、アウターカバー５１から引き出された両端を互いに連結すると共に、この引出部５４ａを締付固定具５４Ｂに挿通している。この締付固定具５４Ｂは、アウターカバー５１から引き出された紐材５４Ａを緩まないように弾性的に保持できる構造としている。この締付固定具５４Ｂは、押圧部５４ｂを押す状態で紐材５４Ａに対して移動でき、押圧部５４ｂを離した状態では、紐材５４Ａに対して移動できない構造としている。締め具５４である紐材５４Ａには、ゴム紐が適している。ゴム紐である紐材５４Ａは、アウターカバー５１の上端開口部を弾性的に締めることができる。このアウターカバー２は、紐材５４Ａで絞ったアウターカバー５１の上端開口部を、弾性的にユーザーに密着できる。ただ、紐材には弾性変形しない線材も使用できる。
【００２５】
以上のアウターカバー１、５１は、ユーザーの首部に装着されて、首の周囲に閉鎖する空間を設ける。アウターカバー１、５１は、ユーザーの首の全周に密着させる必要はない。アウターカバー１、５１は、上縁をユーザーの顎部に、下縁を肩に沿わせて、首の周囲を閉鎖された空間にできる。したがって、アウターカバー１、５１の上下幅は、例えば１５ｃｍ〜２５ｃｍとする。
【００２６】
図５と図１２に示すアウターカバー１、５１は、前部の上下幅を背部よりも広くしている。このアウターカバー１、５１は、ユーザーの首にセットする状態で、前部の下縁をユーザーの胸に配置して、下縁からの空気漏れを有効に防止できる。
【００２７】
また、図５と図１２のアウターカバー１、５１は、締め具４、５４で上端開口部を締める状態で、上端の開口面積と下端の開口面積をほぼ同じとしている。このアウターカバー１、５１は、図５と図１２に示すように、上部に顎を入れて頭で上端の開口部を閉塞できるので、上縁から暖かく加温された空気が漏れるのを防止できる。ただ、アウターカバーは、下方に向かって開口面積を大きくするテーパー状とすることもできる。このアウターカバーは、上縁の開口面積を小さくして、下縁の開口面積を大きくしているので、ユーザーが楽に首に装着して楽に使用しながら、アウターカバーの内部で加温された空気が上縁から外部に漏れるのを有効に防止できる特徴がある。下縁の開口面積は大きくしているが、この部分はユーザーの肩から胸と背中に接触して、下縁から空気が侵入することはない。このため、このアウターカバーは、楽に快適に首に装着して使用しながら、空気の漏れを少なくして首を暖かく加温できる。
【００２８】
アウターカバー１、５１は、自由に変形できる布地を縫製して筒状に製作している。図２ないし図８のアウターカバー１は、その前部を上から下に向かって分割しており、それぞれの分割部１Ａの対向する端縁に、締め具４であるチャック４Ａを縫製して固定している。締め具４をチャック４Ａとするアウターカバー１は、チャック４Ａの連結位置を調整して、ユーザーの前部でアウターカバー１を両側に開閉できる長さを調整できる。すなわち、チャック４Ａの連結位置を調整して、アウターカバー１の上端開口部の開度を調整できる。締め具４のチャック４Ａを開いて、アウターカバー１の上部を大きく開く状態で、アウターカバー１は、ユーザーの頭を挿入して首部にセットし、この状態で締め具４のチャック４Ａを閉じて、アウターカバー１の上端開口部を締めて、首の周囲に隙間なく配置できる。また、図９ないし図１２のアウターカバー５１は、上端の開口縁部に紐材５４Ａを挿通して締め具５４としている。締め具５４を紐材５４Ａとするアウターカバー５１は、引出部５４ａの引き出し量を調整して、アウターカバー５１の上端開口部の開度を調整できる。このアウターカバー５１は、紐材５４Ａを緩めて、アウターカバー５１の上部を大きく開く状態で、ユーザーの頭を挿入して首部にセットし、この状態で紐材５４Ａを引っ張って、アウターカバー５１の上端開口部を締めて、首の周囲に隙間なく配置できる。ただし、締め具４、５４で上端開口部を締める前に、後述する連結片５を連結して、アウターカバー１、５１に設けているヒーター２を首筋に密着させる。
【００２９】
さらに、図２ないし図８に示すアウターカバー１は、チャック４Ａである締め具４に加えて、図３と図５の鎖線で示すように、紐材５４Ａを挿通してなる締め具５４を追加することもできる。この締め具５４も、アウターカバー１の上端開口縁に沿って挿通した紐材５４Ａの一部を背部から引き出しており、この引出部５４ａを引っ張ってアウターカバー１の上端開口部の開度をさらに調整できる。このアウターカバー１は前部を分割しているので、上端開口部に沿って挿入される紐材５４Ａは、図３と図５の鎖線で示すように、その先端を、両側の分割部１Ａまで延長して固定し、中間部を引出部５４ａとして上端開口部の背部から引き出すことができる。この構造のアウターカバー１は、チャック４Ａである締め具４で上端開口部を締めた状態で、さらに、紐材５４Ａを引っ張って上端開口部の全体を細く絞ってユーザーに密着できる。ただ、紐材は、先端を前部まで延長することなく、上端開口部の中間、すなわち、上端開口部の側部まで挿入して固定することもできる。この構造のアウターカバーは、紐材を引っ張る状態で、上端開口部の背部を細く絞ってユーザーに密着できる。この締め具５４も、紐材５４Ａをゴム紐とすることで、細く絞った上端開口部を弾性的にユーザーに密着できる。
【００３０】
アウターカバー１、５１は、図４と図１０に示すように、ヒーター２を設けている背部をユーザーの首筋に密着させるアウターカバー１、５１よりも上下幅の狭い一対の連結片５を両側部の内面に連結している。一対の連結片５は、各々の先端部を互いに脱着できるように脱着連結具６を設けている。一対の連結片５は、脱着連結具６で連結されて、アウターカバー１、５１のヒーター２を設けている背部をユーザーの首筋に密着する。連結片５を脱着する状態で、締め具４、５４はアウターカバー１、５１の上端開口部を広げる状態とする。連結片５を連結する状態で、アウターカバー１、５１は、締め具４、５４でアウターカバー１、５１の上端開口部を締めて、加温具をユーザーの首部に装着する。
【００３１】
ヒーター２は帯状で、図１３に示すように、内部に可撓性のヒーター２Ａ、たとえばＰＴＣヒーターなどを内蔵している。ＰＴＣヒーターは、それ自体で温度が設定温度よりも高くならない特性を有するので、加熱されすぎることなく安全に使用できる特徴がある。ただ、ヒーターには、ＰＴＣヒーターに代わって、可撓性のある全てのヒーター、たとえば導電性の金属やカーボン等の粉末をバインダーで結合して所定の電気抵抗とするもの、又は可撓性のある細い金属線からなるヒーターなども使用できる。ヒーター２は、アウターカバー１に脱着できるように連結している。
【００３２】
図４、図５、及び図１０ないし図１２のアウターカバー１、５１は、ヒーター２を収納できる幅の可撓性バンド７、５７の両側縁を内面に連結している。可撓性バンド７、５７は、両側縁をアウターカバー１、５１の内面に縫いつけて、アウターカバー１、５１の長手方向に伸びるように連結している。アウターカバー１、５１に連結された可撓性バンド７、５７は、その内側にヒーター２の収納部８を設けている。また、可撓性バンド７、５７は、両端部をアウターカバー１、５１に縫いつけることなく分離して、アウターカバー１、５１の背部を首筋に密着させる連結片５としている。また、可撓性バンド７、５７は、ヒーター２を収納する収納部８の両端を開口して、ヒーター２を脱着できるように収納している。ヒーター２は、可撓性バンド７、５７とアウターカバー１、５１の内面との間に設けられる収納部８に出し入れできるように挿入される。可撓性バンド７、５７の幅は、その両側縁をアウターカバー１、５１に連結して、内側にヒーター２の収納部８を設けることができるように、帯状であるヒーター２の幅よりも広くしている。アウターカバー１、５１の収納部８にセットされたヒーター２は、脱着連結具６で連結片５を連結して、ユーザーの首筋に密着される。
【００３３】
アウターカバー１、５１は、背部にヒーター２を配置するので、背部に収納部８を設けている。収納部８は、アウターカバー１、５１の上下方向の中央部、あるいは中央部よりも上方にずれた中間部に、あるいは又中央部よりも下方にずれた位置に、アウターカバー１、５１の長手方向に伸びるように設けられる。上下の中央部に収納部８を設けて、ここにヒーター２を収納するアウターカバー１、５１は、ユーザーの首にセットされて、首筋をより暖かく加温できる。収納部８の長さは、ヒーター２の全体を収納できる長さ、すなわちヒーター２のほぼ全長に等しくする。収納部８の長さは、好ましくは、アウターカバー１、５１の全周の約１／２とする。ただし、収納部の長さは、アウターカバーの全周の３０％〜８０％とすることができる。可撓性バンド７、５７の中間部の両側縁をアウターカバー１、５１の内面に連結して、中間部をヒーター２の収納部８とし、その両端部を連結片５へとする加温具は、収納部８の全長が短すぎると、アウターカバー１、５１の背部をユーザーの首筋に広い面積で密着できなくなり、反対に収納部８が長すぎると連結片５が短くなって、ユーザーが首の前で連結片５を簡単に連結できなくなる。したがって、収納部８の全長、言い換えるとヒーター２の長さは、ヒーター２でユーザーの首筋を効率よく加温しながら、連結片５を簡単に脱着してユーザーの首に簡単に巻き付けるようにセットして、快適に使用できるように前述の範囲で最適値に特定される。
【００３４】
さらに、図１０と図１１に示す加温具は、連結片５の一方を、取り替えできるように脱着自在にアウターカバー５１に連結している。図の加温具は、可撓性バンド５７の一方の端部（図１０において右側の端部）を脱着可能な脱着片５７Ｂとしており、この脱着片５７Ｂを脱着自在に可撓性バンド５７の本体部５７Ａに連結している。この脱着片５７Ｂは、脱着連結具５６を介して可撓性バンド５７の本体部５７Ａの端部に脱着自在に連結している。この脱着連結具５６には、面ファスナーを使用している。この加温具は、可撓性バンド５７の本体部５７Ａに対して脱着される脱着片５７Ｂを連結片５として、可撓性バンド５７の反対側の端部である連結片５に連結できるようにしている。この加温具は、脱着片５７Ｂである連結片５を取り替えできるので、ユーザーの首周りサイズに応じて最適な長さの連結片に交換することができる。この加温具は、連結片５をユーザーの首周りに最適な長さとして、連結片５を無理なく首に巻き付ける状態で連結して、ヒーター２を理想的に首筋に密着できる。
【００３５】
連結片５を連結する脱着連結具６は、互いに押圧して連結でき、かつ引っ張って分離できる脱着自在な付着テープ、たとえばマジックテープ（登録商標）である。付着テープは、連結片５を積層して積層部を連結する。脱着連結具６を付着テープとする連結片５は、その全長を、連結片５を積層してユーザーの首の前で連結できる長さとする。とくに、連結片５を積層して脱着自在に連結する付着テープを脱着連結具６とする連結片５は、上に積層される連結片５を下に積層する連結片５よりも長くして、ユーザーの首の前部で積層して連結する。脱着連結具６を積層して自由な位置で連結できる付着テープとする連結片５は、ユーザーの首の太さに合わせて連結位置を調整できるので、首を絞めすぎることなく、また緩すぎることなく連結片５を連結して、アウターカバー１、５１の背部をユーザーの首に快適に密着できる。
【００３６】
ただし、本発明の加温具は、脱着連結具を、必ずしも付着テープとする必要はない。たとえば、ボタンやホックなどの脱着自在に連結できるすべてのものが使用できる。これらの脱着連結具は、連結位置を変更できる構造として、太さが異なるユーザーの首にヒーターを巻き付けるようにセットできる。
【００３７】
連結片５は、上下幅を広くして、アウターカバー１、５１の背部をユーザーの首に広い面積で密着できる。ただ、連結片が広すぎると快適に首に巻き付けできなくなる。したがって、連結片５の上下幅は、好ましくは２．５ｃｍ〜３ｃｍとする。
【００３８】
ヒーター２は、図１３に示すように、可撓性のリード線１０を介して電池ユニット３に連結される。電池ユニット３は、充電できる電池３１をケース３０に内蔵している。充電できる電池３１は、リチウムイオン電池である。リチウムイオン電池は、軽くて充放電の容量を大きくできるので、首にセットして軽く快適に使用しながら、長時間にわたってユーザーの首を加温できる特徴がある。ただ、電池ユニットの電池は、リチウムイオン電池に特定しない。この電池にはニッケル水素電池やニッケルカドミウム電池など、充電できる全ての電池を使用できる。
【００３９】
図１３の電池ユニット３は、ケース３０に２本の円筒形電池３１のリチウムイオン電池を内蔵している。この電池ユニット３は、ヒーター２に連結しているリード線１０の先端に設けているＵＳＢコネクタ１１を脱着できるように連結するＵＳＢコネクタ３２をケース３０に設けている。このＵＳＢコネクタ３２は、スイッチング素子（図示せず）を介して電池３１に接続している。スイッチング素子は、制御回路（図示せず）で制御される。制御回路にはスイッチボタン３３を接続しており、このスイッチボタン３３から入力される信号で、スイッチング素子をオンオフに切り換える。さらに、制御回路は、スイッチング素子をオンに切り換える状態で点灯する発光ダイオードのパイロットランプ３４を接続している。このパイロットランプ３４は、ケース３０に設けた光窓３５から光をケース３０の外部に照射して、ヒーター２の通電状態を表示する。
【００４０】
電池ユニット３は、アウターカバー１、５１に設けた収納袋９、５９に収納される。アウターカバー１、５１は、図５ないし図８、図１１、及び図１２に示すように、その前部であってその下部に電池ユニット３の収納袋９、５９を連結している。
【００４１】
図５ないし図８の収納袋９は、上縁をアウターカバー１の内面に連結して、下部をアウターカバー１の内面に脱着自在に連結している。収納袋９は、脱着具１２でもって、その下部を脱着できるようにアウターカバー１の内面に連結している。脱着具１２には、上述のような付着テープが便利に使用できる。さらに、図５ないし図８の収納袋９は、収納している電池ユニット３のパイロットランプ３４の点灯を確認できる透光性を有する透光シートや網材としている。図７と図８の収納袋９は、下部をアウターカバー１から外す状態で、アウターカバー１の下部を上方に折り返すように裏返して、収納している電池ユニット３のパイロットランプ３４を確認できるようにしている。この収納袋９は、下部をアウターカバー１に連結する状態で、ユーザーの首に対向する表面をアウターカバー１の内面の生地と同じとし、表面と反対側の裏面を透光性のある状態として、電池ユニット３のパイロットランプ３４を簡単に確認できる。アウターカバー１の下部を上方に折りして、収納袋９の透光部９Ａである裏面を前方に表出させて、パイロットランプ３４を確認できるからである。
【００４２】
図１１と図１２の収納袋５９は、網材でもって全体を袋状として、電池ユニット３の挿入部となる開口部５９Ｂを、面ファスナー等の脱着具６２でもって脱着自在に開閉できる構造としている。この収納袋５９は、開口部５９Ｂを左右方向に向ける姿勢として、上縁と左右の両縁を、すなわち下縁を除く３辺をアウターカバー５１の内面に縫着等により連結している。この収納袋５９は、全体を網材で製作するので、両面を透光部５９Ａとして、収納している電池ユニット３のパイロットランプ３４の点灯を両面から外部に表示できる。ただ、収納袋は、透光性を有する透光シートとすることもできる。収納袋５９に収納される電池ユニット３は、収納袋５９が縫着されたアウターカバー５１の下部全体を上方に折り返すように裏返して、収納袋５９の外側面からパイロットランプ３４を確認することができ、あるいは、アウターカバー５１の前部の下端部であって、収納袋５９に縫着されない部分のみを裏返して、収納袋５９の内側面とアウターカバー５１の間からパイロットランプ３４を確認することができる。すなわち、この収納袋５９は、収納する電池ユニットの向きに関係なく、パイロットランプ３４を確認できる特徴がある。
【００４３】
図２ないし図８の首の加温具は、以下のようにして使用する。
［ユーザーの首にセットする状態］
ヒーター２をアウターカバー１の収納部８に収納し、リード線１０を電池ユニット３に接続する。電池ユニット３のスイッチボタン３３を操作して電源をオンに切り換えて収納袋９に挿入する。
この状態で、図１４に示すように、締め具４のチャック４Ａを開いて、アウターカバー１の上部の分割部１Ａを両側に分離する状態とし、さらに脱着連結具６で連結片５を連結しない分離状態として、アウターカバー１に頭を挿入して、首の周囲にセットする。
その後、図１５に示すように、脱着連結具６で連結片５を連結して、図５に示すように、アウターカバー１の背面をユーザーの首筋に密着させる。この状態で、アウターカバー１の背面に設けているヒーター２が首筋に密着される。
さらに、図１６に示すように、締め具４のチャック４Ａでアウターカバー１の上部を連結して、アウターカバー１をユーザーの首の周囲にセットする。この状態で、アウターカバー１は、ユーザーの首の周囲を閉鎖する状態として、内部のヒーター２で首を加温する。
【００４４】
以上の状態で、電池ユニット３のパイロットランプ３４を確認するには、収納袋９の下部の脱着具１２を外して、図７と図８に示すように、アウターカバー１の下部を上に折り返すように裏返して、収納袋９の裏面側をユーザーの前面に表出させる。この状態で、収納袋９の裏面の透光部９Ａで電池ユニット３のパイロットランプ３４の点灯状態を確認する。さらに、この姿勢で、収納袋９に収納された電池ユニット３のパイロットランプ３４の点灯状態を確認しにくい場合は、図８の矢印で示すように、収納袋９の裏面側である透光部９Ａが水平姿勢に近づくように収納袋９の向きを変えて、電池ユニット３のパイロットランプ３４を見やすくする。
確認した後は、アウターカバー１の下部を下方に垂らす状態に戻して、収納袋９の下部をアウターカバー１の内面に付着する。
【００４５】
［ユーザーの首から外す状態］
締め具４のチャック４Ａを下げてアウターカバー１の前部でその上部を両側に開き、アウターカバー１の内部に設けている連結片５の脱着連結具６を外す。この状態で、アウターカバー１を上に上昇して頭を通過させてユーザーの首から外すことができる。
【００４６】
さらに、図９ないし図１２に示す首の加温具は、以下のようにして使用する。
［ユーザーの首にセットする状態］
ヒーター２をアウターカバー１の収納部８に収納し、リード線１０を電池ユニット３に接続する。電池ユニット３のスイッチボタン３３を操作して電源をオンに切り換えて収納袋９に挿入する。
この状態で、締め具５４の紐材５４Ａを緩めて、アウターカバー５１の上端開口部を広げる状態とし、さらに脱着連結具６で連結片５を連結しない分離状態として、アウターカバー５１に頭を挿入して、首の周囲にセットする。
その後、脱着連結具６で連結片５を連結して、図１２に示すように、アウターカバー５１の背面をユーザーの首筋に密着させる。この状態で、アウターカバー５１の背面に設けているヒーター２が首筋に密着される。
さらに、締め具５４の紐材５４Ａを引っ張って、アウターカバー５１の上端開口部を絞って、アウターカバー５１をユーザーの首の周囲にセットする。この状態で、アウターカバー５１は、ユーザーの首の周囲を閉鎖する状態として、内部のヒーター２で首を加温する。
【００４７】
以上の状態で、電池ユニット３のパイロットランプ３４を確認するには、アウターカバー５１の下部を上に折り返すように裏返して、電池ユニット３のパイロットランプ３４の点灯を透光部５９Ａに透過させて外部から確認する。
【００４８】
［ユーザーの首から外す状態］
締め具５４の紐材５４Ａを緩めてアウターカバー５１の上端開口部を広げて、アウターカバー５１の内部に設けている連結片５の脱着連結具６を外す。この状態で、アウターカバー５１を上に上昇して頭を通過させてユーザーの首から外すことができる。
【符号の説明】
【００４９】
１…アウターカバー              １Ａ…分割部
２…ヒーター                    ２Ａ…可撓性のヒーター
３…電池ユニット
４…締め具                      ４Ａ…チャック
５…連結片
６…脱着連結具
７…可撓性バンド
８…収納部
９…収納袋                      ９Ａ…透光部
１０…リード線
１１…ＵＳＢコネクタ
１２…脱着具
３０…ケース
３１…電池
３２…ＵＳＢコネクタ
３３…スイッチボタン
３４…パイロットランプ
３５…光窓
５１…アウターカバー
５４…締め具                    ５４Ａ…紐材
５４ａ…引出部
５４Ｂ…締付固定具
５４ｂ…押圧部
５６…脱着連結具
５７…可撓性バンド              ５７Ａ…本体部
５７Ｂ…脱着片
５９…収納袋                    ５９Ａ…透光部
５９Ｂ…開口部
６２…脱着具
９１…首当具
９２…ヒーター
【図１】
2011032609.tif 000003
【図２】
2011032609.tif 000004
【図３】
2011032609.tif 000005
【図４】
2011032609.tif 000006
【図５】
2011032609.tif 000007
【図６】
2011032609.tif 000008
【図７】
2011032609.tif 000009
【図８】
2011032609.tif 000010
【図９】
2011032609.tif 000011
【図１０】
2011032609.tif 000012
【図１１】
2011032609.tif 000013
【図１２】
2011032609.tif 000014
【図１３】
2011032609.tif 000015
【図１４】
2011032609.tif 000016
【図１５】
2011032609.tif 000017
【図１６】
2011032609.tif 000018